(57)【要約】  【課題】  表示品位の低下を抑制できる液晶表示装置を提供する。  【解決手段】  第１主面２１ａを有する第１基体２１と、第１基体２１の第１主面２１ａと主面２２ｂを対向させて配置された第２基体２２と、第１基体２１と第２基体２２との間に配置された液晶層２３と、第１基体２１の第１主面２１ａ上に設けられた複数の画素電極２１８と、第１基体２１の第１主面上２１ａに設けられ、断面視で画素電極２１８の両側に配置された共通電極２１６と、画素電極２１８と共通電極２１６との間を絶縁するための絶縁部材２１７とを備え、画素電極２１８は、画素電極２１８の両側に配置された共通電極２１６に重畳し、断面視で画素電極２１８の両端部に位置する重畳部２１８ａと、共通電極２１６に重畳しない非重畳部２１８ｂとを有し、重畳部２１８ａにおける画素電極２１８と共通電極２１６との間に絶縁部材２１７が介在している液晶表示装置１である。【選択図】  図４
2012073464.tif 000002
【特許請求の範囲】
【請求項１】
第１主面を有する第１基体と、前記第１基体の前記第１主面と主面を対向させて配置された第２基体と、前記第１基体と前記第２基体との間に配置された液晶層と、前記第１基体の前記第１主面上に設けられた複数の画素電極と、前記第１基体の前記第１主面上に設けられ、断面視で前記画素電極の両側に配置された共通電極と、前記画素電極と前記共通電極との間を絶縁するための絶縁部材とを備え、
前記画素電極は、前記画素電極の両側に配置された前記共通電極に重畳し、断面視で前記画素電極の両端部に位置する重畳部と、前記共通電極に重畳しない非重畳部とを有し、
前記重畳部における前記画素電極と前記共通電極との間に前記絶縁部材が介在していることを特徴とする液晶表示装置。
【請求項２】
前記絶縁部材は、前記重畳部と前記共通電極との間から前記第１基体の第１主面と前記非重畳部との間にかけて連続して設けられている、請求項１に記載の液晶表示装置。
【請求項３】
前記絶縁部材は、前記画素電極の両側に配置された前記共通電極を覆う、請求項２に記載の液晶表示装置。
【請求項４】
前記絶縁部材は、前記画素電極の前記非重畳部を覆うように前記基体の前記第１主面上に設けられている、請求項３に記載の液晶表示装置。
【請求項５】
前記絶縁部材は、前記重畳部と前記共通電極との間から前記第１基体の前記第１主面と前記共通電極との間にかけて連続して設けられている、請求項４に記載の液晶表示装置。
【請求項６】
前記画素電極の前記非重畳部は前記共通電極と同一平面上に位置している、請求項１に載の液晶表示装置。
【請求項７】
前記画素電極の前記重畳部の厚みは、前記画素電極の前記非重畳部の厚みよりも小さい請求項１〜４のいずれかに記載の液晶表示装置。
【請求項８】
前記共通電極は、平面視で前記画素電極を取り囲むように設けられており、
前記画素電極の外周部は、前記共通電極の内周部に重畳している、請求項１〜７のいずれかに記載の液晶表示装置。
【発明の詳細な説明】
【技術分野】
【０００１】
本発明は、アクティブマトリクス型の液晶表示装置に関する。
【背景技術】
【０００２】
液晶表示装置は、互いに対向配置させた一対の基体と、一対の基体間に設けられた液晶層と、一対の基体のうち一方基体の主面に設けられた共通電極と、共通電極および一方基体の主面を覆うように設けられた絶縁膜と、この絶縁膜に設けられた複数の画素電極とを備える（例えば、特許文献１を参照）。
【０００３】
この液晶表示装置では、平面視において画素電極の両側に一定の距離を空けて共通電極が配置されており、この画素電極および共通電極に対して電圧を印加することで、画素電極と共通電極との間で電界を形成し、この電界によって液晶層中の液晶分子の方向を制御する。
【先行技術文献】
【特許文献】
【０００４】
【特許文献１】特開平１０−１３３１９０号公報
【発明の概要】
【発明が解決しようとする課題】
【０００５】
ところで、この液晶表示装置では、画素電極と、この画素電極の両側に配置されている共通電極とが離間している。そのため、画素電極もしくは共通電極をパターニングして形成する際に、パターニングにズレが生じてしまった場合には、画素電極と一方側に配置された共通電極との間の距離と、画素電極と他方側に配置された共通電極との間の距離とが異なってしまう傾向にある。これにより、画素電極と一方側の共通電極とよって形成される電界の大きさと、画素電極と他方側の共通電極とによって形成される電界の大きさとが異なり、これらの電界で制御される液晶分子の方向にズレが生じることで、それぞれの領域での光の透過率に差ができてしまい、表示品位が低下する可能性がある。
【０００６】
本発明は、上記の問題点に鑑みてなされたものであり、その目的は、表示品位が低下することを抑制できる液晶表示装置を提供することにある。
【課題を解決するための手段】
【０００７】
本発明の液晶表示装置は、第１主面を有する第１基体と、前記第１基体の前記第１主面と主面を対向させて配置された第２基体と、前記第１基体と前記第２基体との間に配置された液晶層と、前記第１基体の前記第１主面上に設けられた複数の画素電極と、前記第１基体の前記第１主面上に設けられ、断面視で前記画素電極の両側に配置された共通電極と、前記画素電極と前記共通電極との間を絶縁するための絶縁部材とを備え、前記画素電極は、前記画素電極の両側に配置された前記共通電極に重畳し、断面視で前記画素電極の両端部に位置する重畳部と、前記共通電極に重畳しない非重畳部とを有し、前記重畳部における前記画素電極と前記共通電極との間に前記絶縁部材が介在していることを特徴とする。
【発明の効果】
【０００８】
本発明の液晶表示装置によれば、表示品位が低下することを抑制できる。
【図面の簡単な説明】
【０００９】
【図１】本発明の第１の実施形態における液晶表示装置を示した平面図である。
【図２】図１のＩ−Ｉ線に沿った断面図である。
【図３】液晶パネルの要部を示した平面図である。
【図４】図３のII−II線に沿った断面図である。
【図５】画素電極の重畳部および非重畳部を示した断面図である。
【図６】本発明の第２の実施形態における液晶表示装置の要部を示した断面図である。
【図７】本発明の第３の実施形態における液晶表示装置の要部を示した断面図である。
【図８】本発明の第４の実施形態における液晶表示装置の要部を示した平面図である。
【図９】本発明の第５の実施形態における液晶表示装置の要部を示した平面図である。
【図１０】本発明の第６の実施形態における液晶表示装置の要部を示した平面図である。
【発明を実施するための形態】
【００１０】
［実施の形態１］
まず、本発明の第１の実施形態における液晶表示装置１について説明する。液晶表示装置１は、一対の基体のうち一方基体に設けられた画素電極と、共通電極との間で電界を形成して液晶層中の液晶分子の方向を制御する、いわゆる横電界方式の液晶表示装置である。
【００１１】
図１および図２に示すように、液晶表示装置１は、表示領域ＥＤおよびこの表示領域ＥＤの外側に位置する非表示領域ＥＯを有する液晶パネル２と、液晶パネル２の表示領域ＥＤに対して光を出射する光源装置３と、液晶パネル２の外側に配置される第１偏光板４と、液晶パネル２に介して第１偏光板４と対向配置される第２偏光板５とを備えている。
【００１２】
液晶パネル２は、第１基体２１と、第１基体２１と対向配置される第２基体２２と、第１基体２１と第２基体２２との間に位置する液晶層２３と、液晶層２３を取り囲むように第１基体２１と第２基体２２との間に設けられたシール部材２４とを有している。
【００１３】
また、第１基体２１上には、ゲート配線２１１と、ゲート配線２１１を覆うように第１基体２１上に設けられた第１絶縁膜２１２と、第１絶縁膜２１２に設けられ、平面視でゲート配線２１１と交差するように設けられたソース配線２１３と、ゲート配線２１１とソース配線２１３との交差領域の近傍に位置する薄膜トランジスタ２１４と、ソース配線２１３を覆うように第１絶縁膜２１２に設けられた第２絶縁膜２１５と、第２絶縁膜２１５に設けられた共通電極２１６と、共通電極２１６の一部を覆うように第２絶縁膜２１６に設けられた絶縁部材２１７と、絶縁部材２１７に設けられた画素電極２１８とを有している。
【００１４】
第１基体２１は、上記部材が設けられている第１主面２１ａと、第１主面２１ａとは反対側に位置する第２主面２１ｂとを有している。第１基体２１の材料は、透光性を有するガラス、プラスチックなどが挙げられる。ここで、透光性とは、可視光に対する透過性を有することを意味する。
【００１５】
ゲート配線２１１は、電源から供給される電圧を薄膜トランジスタ２１４に印加する機能を有する。図３に示すように、ゲート配線２１２はＸ方向に延在して形成されている。また、複数のゲート線２１１は、第１基体２１の第１主面２１ａにＹ方向に沿って配列されている。ゲート配線２１１の材料は、導電性を有するものが挙げられ、例えば、アルミニウム、モリブデン、チタン、ネオジム、もしくはこれらを含む合金などである。
【００１６】
第１絶縁膜２１２は、ゲート配線２１１とソース配線２１３とを電気的に絶縁する機能を有する。第１絶縁膜２１２は、ゲート配線２１１を覆うように第１基体２１の第１主面
２１ａに設けられている。第１絶縁膜２１２の材料は、絶縁性を有するものが挙げられ、例えば、窒化シリコン、酸化シリコンなどである。
【００１７】
ソース配線２１３は、電源から供給される信号電圧を薄膜トランジスタ２１４を介して画素電極２１５に印加する機能を有する。図３に示すように、ソース配線２１３はＹ方向に延在して形成されている。また、複数のソース線２１３は、第１絶縁膜２１３にＸ方向に沿って配列されている。ソース配線２１３の材料は、ゲート配線２１１と同様のものが挙げられる。
【００１８】
薄膜トランジスタ２１４は、ゲート配線２１１を介して印加される電圧に応じて、ソース配線２１３を介して印加される信号電圧を画素電極２１８に印加する機能を有する。また、薄膜トランジスタ２１４は、アモルファスシリコンまたはポリシリコンなどからなる半導体層を有している。
【００１９】
第２絶縁膜２１５は、ソース配線２１３と共通電極２１６とを電気的に絶縁させる機能を有する。第２絶縁膜２１５は、ソース配線２１３を覆うように第１絶縁膜２１２に設けられている。第２絶縁膜２１５の材料は、第１絶縁膜２１２と同様のものが挙げられる。
【００２０】
共通電極２１６は、電源から印加された電圧によって画素電極２１８との間で電界を形成する機能を有する。共通電極２１６は、表示領域ＥＤにおける第２絶縁膜２１５に設けられている。
【００２１】
図３に示すように、平面視で、共通電極２１５は画素電極２１８を取り囲むように位置している。また、共通電極２１６は、矢印Ｙ方向に延びる櫛歯部２１６ａを有しており、この櫛歯部２１６ａは隣り合う画素電極２１８間の位置している。また、図４に示すように、断面視で、共通電極２１６は画素電極２１８のＸ方向の両側に配置されている。
【００２２】
共通電極２１６の材料は、透光性および導電性を有するものが挙げられ、例えばＩＴＯ（Indium Tin Oxide）、ＩＺＯ（Indium Zinc Oxide）、ＡＴＯ（Antimony Tin Oxide）、ＡＺＯ（Al-Doped Zinc Oxide）、酸化錫、酸化亜鉛、および導電性高分子（ＰＥＤＯＴおよびＰＳＳなど）などが挙げられる。
【００２３】
画素電極２１８は、電源から印加された電圧によって画素電極２１８との間で電界を形成する機能を有する。画素電極２１８の材料は、共通電極２１６と同様のものが挙げられる。
【００２４】
複数の画素電極２１８は、表示領域ＥＤにおける第２絶縁膜２１６に設けられている。複数の画素電極２１８はＸ方向およびＹ方向に沿って配列している。また、共通電極２１６の櫛歯部２１６Ａを介して隣り合う画素電極２１８は、接続電極２１８Ａを介して接続されている。
【００２５】
また、図４に示すように、画素電極２１８は、Ｘ方向の両側に配置された共通電極２１６に重畳し、かつ画素電極２１８の両端部に位置する重畳部２１８ａと、共通電極２１６に重畳しない非重畳部２１８ｂとを有している。なお、図４では、画素電極２１８における斜線領域が重畳部２１８ａを示している。
【００２６】
画素電極２１８の重畳部２１８ａは、絶縁部材２１７を介して共通電極２１６に重畳している。
【００２７】
絶縁部材２１７は、画素電極２１８と共通電極２１６とを電気的に絶縁させる機能を有
する。図４に示すように、絶縁部材２１７は、画素電極２１８の重畳部２１８ａと共通電極２１６との間に介在されている。絶縁部材２１７の材料は、第１絶縁膜２１２と同様のものが挙げられる。
【００２８】
画素電極２１８は重畳部２１８ａを有している。これにより、画素電極２１８をパターニングして形成する際にズレが生じてしまった場合でも、画素電極２１８とその一方側に配置された共通電極２１６との間の距離と、画素電極２１８とその他方側に配置された共通電極２１６との間の距離が変動してしまうことを低減できる。これにより、画素電極２１８と一方側の共通電極２１６により形成される電界の大きさと、画素電極２１８と他方側の共通電極２１６により形成される電界の大きさとの差を低減することで、それぞれの領域での光の透過率の差を低減し、表示品位の低下を抑制できる。
【００２９】
また、画素電極２１８は非重畳部２１８ｂを有している。すなわち、画素電極２１８の全部が共通電極２１６とは重畳していない。重畳部２１８ａが形成されている領域では、画素電極２１８と共通電極２１６とが重なることで光の透過率が低下しやすくなるが、非重畳部２１８ａが形成されている領域では、画素電極２１８と共通電極２１６とを重ねないことで光の透過率の低下を低減できる。これにより、表示領域ＥＤでの光の透過率を確保できる。
【００３０】
また、画素電極２１８が重畳部２１８ａを有することで、重畳部２１８ａと共通電極２１６との間で補助容量が形成できる。これにより、別途、補助容量線を設ける必要がなくなる。
【００３１】
また、画素電極２１８が重畳部２１８ａを有することで、画素電極２１８と共通電極２１６とが接近して配置されるので、画素電極２１８と共通電極２１６との間で発生する電界を大きくでき、低い信号電圧でも液晶層２３の液晶分子の方向を制御できる。
【００３２】
また、図５に示すように、画素電極２１８の重畳部２１８ａの厚みＬａは、非重畳部２１８ｂの厚みＬｂに比べて小さいことが好ましい。重畳部２１８ａは共通電極２１７と重畳するので、この領域での光の透過率が低下しやすい。そのため、重畳部２１８ａの厚みを非重畳部２１８ｂの厚みに比べて小さくすることで、重畳部２１８ａの位置する領域での透過率と、非重畳部２１８ｂの位置する領域での透過率との差を低減できる。
【００３３】
第２基体２２上には、図４に示すように、光を遮光する遮光パターン２２１と、遮光パターン２２１に隣接するように配置されたカラーフィルタ２２２とを有する。
【００３４】
第２基体２２は上記部材を支持する機能を有する。また、第１基体２２は、上記部材が設けられかつ第１基体２１の第１主面２１ａに対向する第２主面２２ｂと、この第２主面２２ｂとは反対側に位置する第１主面２２ａとを有している。第２基体２２の材料は、第１基体２１と同様のものが挙げられる。
【００３５】
遮光パターン２２１は、第２基体２２の第２主面２２ｂにＸ方向およびＹ方向に延在するように格子状に設けられている。すなわち、遮光パターン２２１は表示領域ＥＤを画素ごとに区画している。遮光パターン２２１の材料は、例えば、遮光性の高い色（例えば黒色）の染料あるいは顔料が添加された樹脂、またはクロム、酸化クロムなどの金属が挙げられる。
【００３６】
カラーフィルタ２２２は、可視光のうち特定の波長のみを透過させる機能を有するものである。カラーフィルタ２２２は、第２基体２２の第２主面２２ｂに複数設けられている。それぞれのカラーフィルタ２２２は、赤（Ｒ）、緑（Ｇ）および青（Ｂ）のいずれか一
色を有している。カラーフィルタ２２２の有する色は上記の色に限られず、例えば、黄色（Ｙ）、白（Ｗ）などの色を有していてもよい。カラーフィルタ２２２の材料としては、例えばアクリル系樹脂に染料あるいは顔料を添加したものが挙げられる。
【００３７】
液晶層２３は、第１基体１０と第２基体２０との間に設けられている。液晶層２３は、ネマティック液晶、コレステリック液晶またはスメクティック液晶などの液晶分子を含んでいる。
【００３８】
シール部材２４は、第１基体２１と第２基体２２とを貼り合わせる機能を有するものである。シール部材２４は、液晶層２３を取り囲むようにして、第１基体２１と第２基体２２との間に設けられている。
【００３９】
光源装置３は、表示領域ＥＤにおける第１基体２１および第２基体２２に向けて光を照射する機能を有するものである。光源装置３は、光源３１と導光板３２とを有している。なお、光源装置３では、光源３１にＬＥＤなどの点光源を採用しているが、冷陰極管などの線光源を採用してもよい。
【００４０】
第１偏光板４は、所定の振動方向の光を選択的に透過させる機能を有する。第１偏光板４は、第１基体２１および第２基体２２との外側に位置しており、第２基体２２の第１主面２２ａ側に設けられている。
【００４１】
第２偏光板５は、所定の振動方向の光を選択的に透過させる機能を有する。第２偏光板５は、第１基体２１および第２基体２２を介して第１偏光板４と対向して配置される。
【００４２】
［実施の形態２］
図６は、第２の実施形態における液晶表示装置１Ａの一例を示した図である。
【００４３】
液晶表示装置１Ａと液晶表示装置１との異なる点は、液晶表示装置１Ａでは、絶縁部材２１７が重畳部２１８ａと共通電極２１６との間から第１基体２１の第１主面２１ａと非重畳部２１８ｂとの間にかけて連続的に設けられている点である。
【００４４】
これにより、液晶表示装置１Ａでは、画素電極２１８が形成される領域での絶縁膜の層構造と、共通電極２１６が形成される領域での絶縁膜の層構造を同じにできる。これにより、画素電極２１８が形成される領域での透過率と、共通電極２１６が形成される領域での透過率との差を低減できる。したがって、表示品位が低下することをさらに抑制できる。
【００４５】
［実施の形態３］
図７は、第３の実施形態における液晶表示装置１Ｂの一例を示した図である。
【００４６】
液晶表示装置１Ｂと液晶表示装置１との異なる点は、液晶表示装置１Ｂでは、画素電極２１８の非重畳部２１８ｂは共通電極２１６と同一平面上に位置している。
【００４７】
これにより、液晶表示装置１Ｂでは、画素電極２１８の非重畳部２１８ｂが形成される領域での絶縁膜の層構造と、共通電極２１６が形成される領域での絶縁膜の層構造とを同じにできる。これにより、非重畳部２１８ｂが形成される領域での透過率と、共通電極２１７が形成される領域での透過率との差を低減できる。したがって、表示品位が低下することをさらに抑制できる。
【００４８】
また、絶縁部材２１７が画素電極２１８の重畳部２１８ａと共通電極２１６との間にの
み位置しているので、画素電極２１８の非重畳部２１８ａ、および非重畳部２１８ａにおける共通電極２１６での光の透過率の低下を抑制できる。
【００４９】
［実施の形態４］
図８は、第４の実施形態における液晶表示装置１Ｃの一例を示した図である。なお、図８では、画素電極２１８の重畳部２１８ａを斜線で示している。
【００５０】
液晶表示装置１Ｃと液晶表示装置１との異なる点は、液晶表示装置１Ｃでは、画素電極２１８の外周部は、共通電極２１６の内周部に重畳している点である。
【００５１】
これにより、液晶表示装置１Ｃでは、画素電極２１８の内周部と共通電極２１６の外周部との間でさらに大きな補助容量を形成できる。
【００５２】
［実施の形態５］
図９は、第５の実施形態における液晶表示装置１Ｄの一例を示した図である。
【００５３】
液晶表示装置１Ｄと液晶表示装置１との異なる点は、液晶表示装置１Ｄでは、画素電極２１８が第２絶縁膜２１７に設けられ、絶縁部材２１７が画素電極２１８を覆うように設けられ、一部が絶縁部材２１７を介して画素電極２１８の両端部に重畳するように、共通電極２１６が第２絶縁膜２１７に設けられている点である。
【００５４】
これにより、液晶表示装置１Ｄでは、液晶表示装置１で説明した効果と同様の効果を奏する。
【００５５】
［実施の形態６］
図１０は、第６の実施形態における液晶表示装置１Ｅの一例を示した図である。
【００５６】
液晶表示装置１Ｅは液晶表示装置１Ｄの一部を変更したものであり、液晶表示装置１Ｅと液晶表示装置１Ｄとの異なる点は、絶縁部材２１７は、重畳部２１８ａと共通電極２１６との間から第１基体１０の第１主面１０ａと共通電極２１７との間にかけて連続的に設けられている点である。
【００５７】
これにより、液晶表示装置１Ｅでは、液晶表示装置１および液晶表示装置１Ｄで説明した効果と同様の効果を奏する。
【００５８】
以上、本発明の具体的な実施形態を示したが、本発明はこれらに限定されるものではない。
【符号の説明】
【００５９】
１、１Ａ、１Ｂ、１Ｃ、１Ｄ、１Ｅ  液晶表示装置
２      液晶パネル
２１    第１基体
２１６  共通電極
２１７  絶縁部材
２１８  画素電極
２１８ａ  重畳部
２１８ｂ  非重畳部
２２    第２基体
２３    液晶層
【図１】
2012073464.tif 000003
【図２】
2012073464.tif 000004
【図３】
2012073464.tif 000005
【図４】
2012073464.tif 000006
【図５】
2012073464.tif 000007
【図６】
2012073464.tif 000008
【図７】
2012073464.tif 000009
【図８】
2012073464.tif 000010
【図９】
2012073464.tif 000011
【図１０】
2012073464.tif 000012